【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】  移動無線電話通信システムにおける１以上の基地局から１つの移動局へ送信される複数の異なったデータ流の送信パワーレベルを制御する方法において、
（ａ）第１のデータ流を前記１以上の基地局から前記移動局へ送信し、第２のデータ流を前記１以上の基地局から移動局へ送信し、
（ｂ）前記移動局において第１、第２のデータ流を受信し、
（ｃ）第１または第２の受信されたデータ流のいずれかにしたがって前記移動局において第１のパワー制御コマンド流を形成し、
（ｄ）前記移動局において第１のパワー制御コマンド流からパワー制御信号を形成し、
（ｅ）前記移動局から前記１以上の基地局へパワー制御信号を送信し、
（ｆ）前記１以上の基地局においてそのパワー制御信号を受信し、
（ｇ）前記１以上の基地局において受信されたパワー制御信号から第１の受信されたパワー制御コマンド流を形成し、
（ｈ）第１の受信されたパワー制御コマンド流にしたがって前記１以上の基地局からの前記第１のデータ流の送信パワーレベルを制御し、第１の受信されたパワー制御コマンド流にしたがって前記１以上の基地局からの前記第２のデータ流の送信パワーレベルを制御するステップを有することを特徴とする送信パワーレベルの制御方法。
【請求項２】  移動無線電話通信システムは第１および第２の基地局を含んでおり、
（ａ）前記ステップ（ａ）においては、前記第１のデータ流を前記第１および第２の基地局から前記移動局へ送信し、第２のデータ流を前記第２の基地局から前記移動局へ送信し、
（ｂ）前記ステップ（ｂ）においては、前記移動局において前記第１の基地局および第２の基地局から第１のデータ流を受信し、前記第２の基地局から第２のデータ流を受信し、
（ｃ）前記ステップ（ｃ）においては、前記移動局において第１のパワー制御コマンド流を形成し、その第１のパワー制御コマンド流は前記第１の基地局から受信された第１または第２のデータ流の１つにしたがって決定され、前記移動局において第２のパワー制御コマンド流を形成し、その第２のパワー制御コマンド流は前記第２の基地局から受信された第２のデータ流にしたがって決定され、
（ｄ）前記ステップ（ｄ）においては、第１および第２のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、前記第１の基地局において受信されたインターリーブされたパワー制御信号をデインターリーブすることによって第１の受信されたパワー制御コマンド流を形成し、前記第２の基地局において受信されたインターリーブされたパワー制御信号をデインターリーブすることによって第２の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第１の受信されたパワー制御コマンド流にしたがって第１の基地局から送信された前記第２のデータ流の送信パワーレベルを制御し、第２の受信されたパワー制御コマンド流にしたがって第２の基地局から送信された前記第２のデータ流の送信パワーレベルを制御する請求項１記載の方法。
【請求項３】  移動無線電話通信システムは第１および第２の基地局を含んでおり、
（ａ）前記ステップ（ａ）においては、前記第１のデータ流を第１および第２の基地局から前記移動局へ送信し、第２のデータ流を第１および第２の基地局から前記移動局へ送信し、
（ｂ）前記ステップ（ｂ）においては、前記移動局において第１の基地局および第２の基地局から第１のデータ流を受信し、第１の基地局および第２の基地局から第２のデータ流を受信し、
（ｃ）前記ステップ（ｃ）においては、前記移動局において第１のパワー制御コマンド流を形成し、その第１のパワー制御コマンド流は第１の基地局から受信された第１または第２のデータ流の１つにしたがって決定され、前記移動局において第２のパワー制御コマンド流を形成し、その第２のパワー制御コマンド流は第２の基地局から受信された第１または第２のデータ流の１つにしたがって決定され、
（ｄ）前記ステップ（ｄ）においては、第１および第２のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、受信されたインターリーブされたパワー制御信号を前記第１の基地局においてデインターリーブすることによって第１の受信されたパワー制御コマンド流を形成し、受信されたインターリーブされたパワー制御信号を前記第２の基地局においてデインターリーブすることによって第２の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第１の受信されたパワー制御コマンド流にしたがって第１の基地局から送信された前記第２のデータ流の送信パワーレベルを制御し、第２の受信されたパワー制御コマンド流にしたがって第２の基地局から送信された第１のデータ流の送信パワーレベルを制御し、第２の受信されたパワー制御コマンド流にしたがって第２の基地局から送信された第２のデータ流の送信パワーレベルを制御する請求項１記載の方法。
【請求項４】  前記受信された第１のパワー制御コマンド流はステップ（ｃ）で決定された第１のパワー制御コマンド流に実質上対応している請求項３記載の方法。
【請求項５】  前記受信された第２のパワー制御コマンド流はステップ（ｃ）で決定された第２のパワー制御コマンド流に実質上対応している請求項４記載の方法。
【請求項６】  移動無線電話通信システムは第１のセットの２以上の基地局を含み、第１のセットの基地局は少なくとも第１および第２の基地局を含み、
（ａ）前記ステップ（ａ）においては、第１のデータ流を前記第１のセットの基地局中の各基地局から前記移動局へ送信し、第２のデータ流を前記第２の基地局から前記移動局へ送信し、
（ｂ）前記ステップ（ｂ）においては、前記移動局において前記第１のセットの基地局中の各基地局から第１のデータ流を受信し、前記第２の基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つと関連し、第２の基地局と関連したパワー制御コマンド流とは異なる第１の複数のパワー制御コマンド流中の各パワー制御コマンド流は、前記第１のセットの基地局の１つから受信された第１のデータ流にしたがって決定され、第２の基地局と関連した第１の複数のパワー制御コマンド流は、前記第２の基地局から受信された第１または第２のデータ流の１つにしたがって決定され、
（ｄ）前記ステップ（ｄ）においては、第１の複数のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、前記第１の複数のパワー制御コマンド流は第２の基地局と関連した受信されたパワー制御信号流を含んでおり、
（ｈ）前記ステップ（ｈ）においては、第１の複数の受信されたパワー制御コマンド流の対応するものにしたがって第２の基地局以外の第１のセットの基地局中の各基地局から送信された第１のデータ流の送信パワーレベルを制御し、第２の基地局に関連する受信されたパワー制御コマンド流にしたがって第２の基地局から送信された第１および第２のデータ流の送信パワーレベルを制御する請求項１記載の方法。
【請求項７】  第１のデータ流は音声メッセージ信号である請求項１記載の方法。
【請求項８】  第２のデータ流はファックス伝送を表している請求項７記載の方法。
【請求項９】  第２のデータ流はインターネット伝送を表している請求項７記載の方法。
【請求項１０】  第１または第２のいずれかの受信されたデータ流に関係するエラー率をモニタすることによって、ステップ（ｃ）において移動局は第１のパワー制御コマンド流を形成する請求項１記載の方法。
【請求項１１】  第１または第２のいずれかの受信されたデータ流に関係する信号対雑音比をモニタすることによって、ステップ（ｃ）において移動局は第１のパワー制御コマンド流を形成する請求項１記載の方法。
【請求項１２】  第１のパワー制御コマンド流中の各パワー制御コマンドは、ステップ（ａ）において第１または第２のデータ流に関係して送信パワーを増加または減少させるコマンドを表している請求項１記載の方法。
【請求項１３】  第１および第２のデータ流は共通の周波数帯域でステップ（ａ）において移動局に送信される請求項１記載の方法。
【請求項１４】  第１および第２のデータ流はコード分割多重アクセス変調を使用して移動局に送信される請求項１３記載の方法。
【請求項１５】  第１のパワー制御コマンド流はインターリーブされたパワー制御信号内の第１のビット率を有しており、第２のパワー制御コマンド流はインターリーブされたパワー制御信号内の第２のビット率を有している請求項２記載の方法。
【請求項１６】  第１のパワー制御コマンド流はインターリーブされたパワー制御信号内の第１のビット率を有しており、第２のパワー制御コマンド流はインターリーブされたパワー制御信号内の第２のビット率を有している請求項３記載の方法。
【請求項１７】  移動局が第１と第２の基地局間のソフトハンドオフを行っているとき、ステップ（ａ）〜（ｈ）が実行される請求項２記載の方法。
【請求項１８】  移動局が第１と第２の基地局間のソフトハンドオフを行っているとき、ステップ（ａ）〜（ｈ）が実行される請求項３記載の方法。
【請求項１９】  移動無線電話通信システムにおける１以上の基地局から１つの移動局へ送信される複数の異なったデータ流の送信パワーレベルを制御する方法において、
（ａ）第１のデータ流を前記１以上の基地局から前記移動局へ送信し、第２のデータ流を前記１以上の基地局から移動局へ送信し、
（ｂ）前記移動局において第１および第２のデータ流を受信し、
（ｃ）第１の受信されたデータ流にしたがって前記移動局において第１のパワー制御コマンド流を形成し、第２の受信されたデータ流にしたがって前記移動局において第２のパワー制御コマンド流を形成し、
（ｄ）前記移動局において第１および第２のパワー制御コマンド流をインターリーブすることによってパワー制御信号を形成し、
（ｅ）前記移動局から前記１以上の基地局へインターリーブされたパワー制御信号を送信し、
（ｆ）前記１以上の基地局においてそのインターリーブされたパワー制御信号を受信し、
（ｇ）前記１以上の基地局において受信されたパワー制御信号をデインターリーブすることによって第１および第２の受信されたパワー制御コマンド流を形成し、
（ｈ）第１の受信されたパワー制御コマンド流にしたがって前記１以上の基地局からの第１のデータ流の送信パワーレベルを制御し、第２の受信されたパワー制御コマンド流にしたがって前記１以上の基地局からの第２のデータ流の送信パワーレベルを制御するステップを有することを特徴とする送信パワーレベルの制御方法。
【請求項２０】  移動無線電話通信システムは第１および第２の基地局を含み、
（ａ）前記ステップ（ａ）においては、前記第１のデータ流を前記第１および第２の基地局から前記移動局へ送信し、第２のデータ流を前記第２の基地局から前記移動局へ送信し、
（ｂ）前記ステップ（ｂ）においては、前記移動局において前記第１の基地局および第２の基地局から第１のデータ流を受信し、前記第２の基地局から第２のデータ流を受信し、
（ｃ）前記ステップ（ｃ）においては、前記移動局において第１および第２のパワー制御コマンド流を形成し、その第１のパワー制御コマンド流は前記第１の基地局から受信された第１のデータ流にしたがって決定され、その第２のパワー制御コマンド流は前記第２の基地局から受信された第１のデータ流にしたがって決定され、前記移動局において第３のパワー制御コマンド流を形成し、その第３のパワー制御コマンド流は前記第２の基地局から受信された第２のデータ流にしたがって決定され、
（ｄ）前記ステップ（ｄ）においては、第１、第２および第３のパワー制御コマンド流をインターリーブすることによって前記移動局においてインターリーブされたパワー制御信号を形成し、
（ｅ）前記ステップ（ｅ）においては、前記移動局から第１および第２の基地局へ前記インターリーブされたパワー制御信号を送信し、
（ｆ）前記ステップ（ｆ）においては、前記第１および第２の基地局において前記インターリーブされたパワー制御信号を受信し、
（ｇ）前記ステップ（ｇ）においては、前記第１の基地局において受信されたインターリーブされたパワー制御信号をデインターリーブすることによって第１および第２の受信されたパワー制御コマンド流を形成し、前記第２の基地局において受信されたインターリーブされたパワー制御信号をデインターリーブすることによって第３の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第２の受信されたパワー制御コマンド流にしたがって第１の基地局から送信された前記第２のデータ流の送信パワーレベルを制御し、第３の受信されたパワー制御コマンド流にしたがって第２の基地局から送信された前記第２のデータ流の送信パワーレベルを制御する請求項１９記載の方法。
【請求項２１】  移動無線電話通信システムは第１および第２の基地局を含み、
（ａ）前記ステップ（ａ）においては、前記第１のデータ流を前記第１および第２の基地局から前記移動局へ送信し、第２のデータ流を前記第１および第２の基地局から前記移動局へ送信し、
（ｂ）前記ステップ（ｂ）においては、前記移動局において前記第１の基地局および第２の基地局から第１のデータ流を受信し、前記第１の基地局および前記第２の基地局から第２のデータ流を受信し、
（ｃ）前記ステップ（ｃ）においては、前記移動局において第１および第２のパワー制御コマンド流を形成し、その第１のパワー制御コマンド流は前記第１の基地局から受信された第１のデータ流にしたがって決定され、前記第２のパワー制御コマンド流は前記第２の基地局から受信された第１のデータ流にしたがって決定され、前記移動局において第３および第４のパワー制御コマンド流を形成し、その第３のパワー制御コマンド流は前記第１の基地局から受信された第２のデータ流にしたがって決定され、前記第４のパワー制御コマンド流は前記第２の基地局から受信された第２のデータ流にしたがって決定され、
（ｄ）前記ステップ（ｄ）においては、第１、第２、第３および第４のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、前記第１の基地局において受信されたインターリーブされたパワー制御信号をデインターリーブすることによって第１および第２の受信されたパワー制御コマンド流を形成し、前記第２の基地局において受信されたインターリーブされたパワー制御信号をデインターリーブすることによって第３および第４の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第２の受信されたパワー制御コマンド流にしたがって第１の基地局から送信された第２のデータ流の送信パワーレベルを制御し、第３の受信されたパワー制御コマンド流にしたがって第２の基地局から送信された第１のデータ流の送信パワーレベルを制御し、第４の受信されたパワー制御コマンド流にしたがって第２の基地局から送信された第２のデータ流の送信パワーレベルを制御する請求項１９記載の方法。
【請求項２２】  移動無線電話通信システムは第１のセットの２以上の基地局を含み、第１のセットの基地局は少なくとも第１および第２の基地局を含んでおり、
（ａ）前記ステップ（ａ）においては、前記第１のデータ流を前記第１のセットの基地局中の各基地局から前記移動局へ送信し、第２のデータ流を前記第２の基地局から前記移動局へ送信し、
（ｂ）前記ステップ（ｂ）においては、前記移動局において前記第１のセットの基地局中の各基地局から第１のデータ流を受信し、前記第２の基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つから受信された第１のデータ流にしたがって決定され、前記移動局において別のパワー制御コマンド流を形成し、この別のパワー制御コマンド流は第２の基地局から受信された第２のデータ流にしたがって決定され、
（ｄ）前記ステップ（ｄ）においては、複数のパワー制御コマンド流および前記別のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、別の受信されたパワー制御コマンド流を形成し、この別の受信されたパワー制御コマンド流は受信されたパワー制御信号をデインターリーブすることによって第２の基地局において形成され、
（ｈ）前記ステップ（ｈ）においては、第１の複数の受信されたパワー制御コマンドの対応するものにしたがって第１のセットの基地局中の各基地局から送信された第１のデータ流の送信パワーレベルを制御し、前記別の受信されたパワー制御コマンドにしたがって第２の基地局から送信される第２のデータ流の送信パワーレベルを制御する請求項１９記載の方法。
【請求項２３】  移動無線電話通信システムは第２のセットの２以上の基地局を含み、第２のセットの基地局は第１のセットの基地局のサブセットを含んでおり、
（ａ）前記ステップ（ａ）においては、前記第１のデータ流を前記第１のセットの基地局から前記移動局へ送信し、第２のデータ流を前記第２のセットの基地局から前記移動局へ送信し、
（ｂ）前記ステップ（ｂ）においては、前記移動局において前記第１のセットの基地局中の各基地局から第１のデータ流を受信し、前記第２のセットの基地局の各基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つから受信された第１のデータ流にしたがって決定され、前記移動局において第２の複数のパワー制御コマンド流を形成し、第２の複数のパワー制御コマンド流中の各パワー制御コマンド流は前記第２のセットの基地局の１つから受信された第２のデータ流にしたがって決定され、
（ｄ）前記ステップ（ｄ）においては、第１の複数のパワー制御コマンド流および第２の複数のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、第２の複数の受信されたパワー制御コマンド流を形成し、第２の複数のパワー制御コマンド流の受信された各パワー制御信号は受信されたインターリーブされたパワー制御信号をデインターリーブすることによって第２のセットの各基地局の異なったものにおいて形成され、
（ｈ）前記ステップ（ｈ）においては、第１の複数の受信されたパワー制御コマンドの対応するものにしたがって第１のセットの基地局中の各基地局から送信された第１のデータ流の送信パワーレベルを制御し、第２の複数の受信されたパワー制御コマンドの対応するものににしたがって第２のセットの各基地局から送信される第２のデータ流の送信パワーレベルを制御する請求項２２記載の方法。
【請求項２４】  移動無線電話通信システムにおける少なくとも第１および第２の基地局から１つの移動局へ送信される複数の異なったデータ流の送信パワーレベルを制御する方法において、
（ａ）第１のデータ流を第１および第２の基地局から前記移動局へ送信し、第２のデータ流を第１の基地局から移動局へ送信し、
（ｂ）前記移動局において第１の基地局および第２の基地局から第１のデータ流を受信し、前記移動局において第１の基地局から第２のデータ流を受信し、
（ｃ）前記移動局において第１のパワー制御コマンド流を形成し、その第１のパワー制御コマンド流は第１の基地局から受信された第１のデータ流および第２の基地局から受信された第１のデータ流にしたがって決定され、前記移動局において第２のパワー制御コマンド流を形成し、その第２のパワー制御コマンド流は第１の基地局から受信された第２のデータ流にしたがって決定され、
（ｄ）前記移動局において第１および第２のパワー制御コマンド流からパワー制御信号を形成し、
（ｅ）前記移動局から第１の基地局へパワー制御信号を送信し、
（ｆ）第１の基地局においてそのパワー制御信号を受信し、
（ｇ）第１の基地局において受信されたパワー制御信号から第１の受信されたパワー制御コマンド流および第２の受信されたパワー制御コマンド流を形成し、
（ｈ）第１の受信されたパワー制御コマンド流にしたがって第１の基地局から前記第１のデータ流の送信パワーレベルを制御し、第２の受信されたパワー制御コマンド流にしたがって第１の基地局から前記第２のデータ流の送信パワーレベルを制御するステップを有することを特徴とする送信パワーレベルの制御方法。
【請求項２５】  第１の受信されたパワー制御コマンド流はステップ（ｃ）で決定された第１のパワー制御コマンド流に実質上対応し、第２の受信されたパワー制御コマンド流はステップ（ｃ）で決定された第２のパワー制御コマンド流に実質上対応している請求項２４記載の方法。
【請求項２６】  前記ステップ（ｃ）においてさらに、移動局において第１のパワー制御コマンド流とは異なった第３のパワー制御コマンド流を形成し、この第３のパワー制御コマンド流は第１の基地局から受信された第１のデータ流および第２の基地局から受信された第１のデータ流にしたがって決定され、前記ステップ（ｄ）においてさらに、前記移動局において第１のパワー制御コマンド流、第２のパワー制御コマンド流および第３のパワー制御コマンド流から第２のパワー制御コマンド信号を形成し、前記ステップ（ｅ）においてさらに、前記移動局から前記第２の基地局へパワー制御信号流を送信し、前記ステップ（ｆ）においてさらに、前記第２の基地局においてパワー制御信号を受信し、前記ステップ（ｇ）においてさらに、第２の基地局において受信されたパワー制御信号から第３の受信されたパワー制御コマンド流を形成し、前記ステップ（ｈ）においてさらに、第３の受信されたパワー制御コマンドにしたがって第２の基地局から送信される第１のデータ流の送信パワーレベルを制御する請求項２４記載の方法。
【請求項２７】  （ａ）前記ステップ（ａ）においては、前記第１のデータ流を第１のセットの３以上の基地局から前記移動局へ送信し、第２のデータ流を第２のアクチブセットの１以上の基地局から前記移動局へ送信し、第１および第２の基地局は共に第１の基地局のアクチブセットに含まれており、第１の基地局は第２の基地局のアクチブセットに含まれており、
（ｂ）前記ステップ（ｂ）においては、前記移動局において前記第１のアクチブセットの基地局の各基地局から第１のデータ流を受信し、前記移動局において前記第２のセットの基地局の各基地局から第２のデータ流を受信し、
（ｃ）前記ステップ（ｃ）においては、前記移動局において第１のパワー制御コマンド流を形成し、第１のパワー制御コマンド流は前記第１のアクチブセットの基地局の各基地局から受信された第１のデータ流にしたがって決定され、前記移動局において第２のパワー制御コマンド流を形成し、第２のパワー制御コマンド流は前記第２のアクチブセットの基地局から受信された第２のデータ流にしたがって決定される請求項２４記載の方法。
【請求項２８】  第２のアクチブセットの基地局は第１のアクチブセットの基地局のサブセットである請求項２７記載の方法。
【請求項２９】  第１のデータ流は音声メッセージ信号である請求項２４記載の方法。
【請求項３０】  第２のデータ流はファックス伝送を表している請求項２９記載の方法。
【請求項３１】  第２のデータ流はインターネット伝送を表している請求項２９記載の方法。
【請求項３２】  第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項２４記載の方法。
【請求項３３】  第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項２４記載の方法。
【請求項３４】  第１の基地局からの第１の受信されたデータ流に関係する信号対雑音比および第２の基地局からの第１の受信されたデータ流に関係する信号対雑音比をモニタすることによって、ステップ（ｃ）において移動局は第１のパワー制御コマンド流を形成する請求項２４記載の方法。
【請求項３５】  第１のパワー制御コマンド流中の各パワー制御コマンドは、ステップ（ａ）において第１の基地局から送信された第１のデータ流に関係して送信パワーを増加または減少させるコマンドを表している請求項２４記載の方法。
【請求項３６】  第２のパワー制御コマンド流中の各パワー制御コマンドは、ステップ（ａ）において第１の基地局から送信された第２のデータ流に関係して送信パワーを増加または減少させるコマンドを表している請求項３５記載の方法。
【請求項３７】  第３のパワー制御コマンド流中の各パワー制御コマンドは、ステップ（ａ）において第２の基地局から送信された第１のデータ流に関係して送信パワーを増加または減少させるコマンドを表している請求項２６記載の方法。
【請求項３８】  第１および第２のデータ流は，ステップ（ａ）において共通の周波数帯域で移動局に送信される請求項２４記載の方法。
【請求項３９】  第１および第２のデータ流は，コード分割多重アクセス変調を使用して移動局に送信される請求項３８記載の方法。
【請求項４０】  移動局が第１と第２の基地局間のソフトハンドオフを行っているとき、ステップ（ａ）〜（ｈ）が実行される請求項２４記載の方法。
【請求項４１】  移動局が第１と第２の基地局間のソフトハンドオフを行っているとき、ステップ（ａ）〜（ｈ）が実行される請求項２６記載の方法。
【請求項４２】  移動局が第１と第２の基地局間のソフトハンドオフを行っているとき、ステップ（ａ）〜（ｈ）が実行される請求項２７記載の方法。
【請求項４３】  移動無線電話通信システムにおける少なくとも第１および第２の基地局から１つの移動局へ送信される複数の異なったデータ流の送信パワーレベルを制御する方法において、
（ａ）第１のデータ流を第１および第２の基地局から前記移動局へ送信し、第２のデータ流を前記第１の基地局から移動局へ送信し、
（ｂ）前記移動局において第１の基地局および第２の基地局から第１のデータ流を受信し、前記移動局において第１の基地局から第２のデータ流を受信し、
（ｃ）前記移動局において第１のパワー制御コマンド流を形成し、その第１のパワー制御コマンド流は第１の基地局から受信された第１のデータ流および第２の基地局から受信された第１のデータ流にしたがって決定され、前記移動局において第２のパワー制御コマンド流を形成し、その第２のパワー制御コマンド流は第１の基地局から受信された第２のデータ流にしたがって決定され、
（ｄ）前記移動局において第１および第２のパワー制御コマンド流からパワー制御信号を形成し、
（ｅ）前記移動局から第１および第２の基地局へパワー制御信号を送信し、
（ｆ）第１および第２の基地局において前記パワー制御信号を受信し、
（ｇ）第１の基地局において受信されたパワー制御信号から第１の受信されたパワー制御コマンド流を形成し、第２の基地局において受信されたパワー制御信号からの第２の受信されたパワー制御コマンド流を形成し、
（ｈ）第１の受信されたパワー制御コマンド流にしたがって前記第１の基地局から第１のデータ流の送信パワーレベルを制御し、第１の受信されたパワー制御コマンド流にしたがって前記第１の基地局からの前記第２のデータ流の送信パワーレベルを制御し、第２の受信されたパワー制御コマンド流にしたがって前記第２の基地局からの前記第１のデータ流の送信パワーレベルを制御するステップを有することを特徴とする送信パワーレベルの制御方法。
【請求項４４】  第２の受信されたパワー制御コマンド流はステップ（ｃ）で決定された第１のパワー制御コマンド流に実質上対応し、第１の受信されたパワー制御コマンド流はステップ（ｃ）で決定された第２のパワー制御コマンド流に実質上対応している請求項４３記載の方法。
【請求項４５】  第１のデータ流は音声メッセージ信号である請求項４３記載の方法。
【請求項４６】  第２のデータ流はファックス伝送を表している請求項４５記載の方法。
【請求項４７】  第２のデータ流はインターネット伝送を表している請求項４５記載の方法。
【請求項４８】  第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項４３記載の方法。
【請求項４９】  第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項４３記載の方法。
【請求項５０】  第１の基地局からの第１の受信されたデータ流に関係する信号対雑音比および第２の基地局からの第１の受信されたデータ流に関係する信号対雑音比をモニタすることによって、ステップ（ｃ）において移動局は第１のパワー制御コマンド流を形成する請求項４３記載の方法。
【請求項５１】  第１のパワー制御コマンド流中の各パワー制御コマンドは、ステップ（ａ）において第２の基地局から送信される第１のデータ流に関係して送信パワーを増加または減少させるコマンドを表している請求項４３記載の方法。
【請求項５２】  第２のパワー制御コマンド流中の各パワー制御コマンドは、ステップ（ａ）において第１の基地局から送信される第１のデータ流に関係して送信パワーを増加または減少させるコマンドを表している請求項５１記載の方法。
【請求項５３】  第２のパワー制御コマンド流中の各パワー制御コマンドは、ステップ（ａ）において第１の基地局から送信された第２のデータ流に関係して送信パワーを増加または減少させるコマンドを表している請求項５２記載の方法。
【請求項５４】  第１および第２のデータ流は，テップ（ａ）において共通の周波数帯域で移動局に送信される請求項４３記載の方法。
【請求項５５】  第１および第２のデータ流は，コード分割多重アクセス変調を使用して移動局に送信される請求項５４記載の方法。
【請求項５６】  移動局が第１と第２の基地局間のソフトハンドオフを行っているとき、ステップ（ａ）〜（ｈ）が実行される請求項４３記載の方法。
【請求項５７】  移動無線電話通信システムにおいて、基地局の第１のアクチブセット中の１以上の基地局から１つの移動局へ送信される第１のデータ流および基地局の第２のアクチブセット中の１以上の基地局から前記移動局へ送信される第２のデータ流の送信パワーレベルを制御する方法において、
（ａ）第１のデータ流を第１のアクチブセット中の基地局から前記移動局へ送信し、第２のデータ流を第２のアクチブセット中の基地局から前記移動局へ送信し、
（ｂ）前記移動局において第１のアクチブセット中の基地局から第１のデータ流を受信し、第２のアクチブセット中の基地局から第２のデータ流を受信し、
（ｃ）前記移動局において第１のパワー制御コマンド流を形成し、その第１のパワー制御コマンド流は第２のアクチブセット中の各基地局から受信された第１のデータ流および第２のアクチブセットの各基地局から受信された第２のデータ流にしたがって決定され、前記移動局において第２のパワー制御コマンド流を形成し、その第２のパワー制御コマンド流は第１のアクチブセットの各基地局から受信された第１のデータ流にしたがって決定され、第２のアクチブセットの基地局から受信された第１のデータ流は決定には関係せず、
（ｄ）前記移動局において第１および第２のパワー制御コマンド流からパワー制御信号を形成し、
（ｅ）前記移動局から前記第１および第２のアクチブセットの基地局へパワー制御信号を送信し、
（ｆ）第１の基地局において前記パワー制御信号を受信し、その第１の基地局は基地局の前記第１および第２のアクチブセットに含まれており、
（ｇ）第１の基地局において受信されたパワー制御信号にしたがって第１の受信されたパワー制御コマンド流を形成し、この第１の受信されたパワー制御コマンド流は移動局において形成された第１のパワー制御信号に対応しており、
（ｈ）第１の受信されたパワー制御コマンド流にしたがって第１の基地局からの第１のデータ流の送信パワーレベルを制御し、第１の受信されたパワー制御コマンド流にしたがって前記第１の基地局からの前記第２のデータ流の送信パワーレベルを制御し、
（ｉ）第２の基地局においてパワー制御信号を受信し、この第２の基地局は第１の基地局のアクチブセットに含まれているが、第２の基地局のアクチブセットには含まれておらず、
（ｊ）第２の基地局において受信されたパワー制御信号にしたがって第２の受信されたパワー制御コマンド流を形成し、この第２の受信されたパワー制御コマンド流は移動局において形成された第２のパワー制御コマンド流に対応し、
（ｋ）第２の受信されたパワー制御コマンド流にしたがって第２の基地局からの前記第１のデータ流の送信パワーレベルを制御するステップを有することを特徴とする送信パワーレベルの制御方法。
【請求項５８】  共通パワー制御チャンネルを使用する移動局に送信される２以上のデータ流の順方向リンクパワーを制御する方法において、
前記２以上のデータ流の第１のデータ流のパワーレベルを制御するための第１の一連のパワー制御コマンドデータビットを決定し、
前記２以上のデータ流の第２のデータ流のパワーレベルを制御するための第２の一連のパワー制御コマンドデータビットを決定し、
共通の一連のパワー制御コマンドデータビットを形成するために、前記第１及び第２の一連のパワー制御コマンドデータビットを多重化し、
前記移動局への前記２以上のデータ流の送信のパワーレベルを制御するために、前記共通のパワー制御チャンネルによって前記共通の一連のパワー制御コマンドデータビットを送信するステップを含んでいる方法。
【請求項５９】  前記第１の一連のパワー制御コマンドデータを決定するステップは、
前記移動局の前記第１のデータ流の受信品質を第１のしきい値と比較し、
前記比較に基づいて、前記第１の一連のパワー制御コマンドデータビットにに対するアップまたはダウンコマンドを発生するステップを含んでいる請求項５８記載の方法。
【請求項６０】  前記第２の一連のパワー制御コマンドデータを決定するステップは、
前記移動局における前記第２のデータ流の受信品質を第２のしきい値と比較し、
前記比較に基づいて、前記第１の一連のパワー制御コマンドデータビットに対するアップまたはダウンコマンドを発生するステップを含んでいる請求項５８記載の方法。
【請求項６１】  前記多重化は、前記共通のパワー制御チャンネルの時間フレームにおいて前記共通の一連のパワー制御コマンドデータビットを形成するために、前記第１及び第２の一連のパワー制御コマンドデータビットを多重化するステップを含んでいる請求項５８記載の方法。
【請求項６２】  共通パワー制御チャンネルを使用して移動局に送信される２以上のデータ流の送信の順方向リンクパワーを制御する装置において、
前記２以上のデータ流の第１のデータ流のパワーレベルを制御するための第１の一連のパワー制御コマンドデータビットを決定し、前記２以上のデータ流の第２のデータ流のパワーレベルを制御するための第２の一連のパワー制御コマンドデータビットを決定し、共通の一連のパワー制御コマンドデータビットを形成するために前記第１及び第２の一連のパワー制御コマンドデータビットを多重化するように構成された制御装置と、
前記移動局への前記２以上のデータ流の送信のパワーレベルを制御するために前記共通のパワー制御チャンネルによって前記共通の一連のパワー制御コマンドデータビットを送信する送信機とを具備している制御装置。
【請求項６３】  前記制御装置はさらに、前記移動局における前記第１のデータ流の受信品質を第１のしきい値と比較することによって前記第１の一連のパワー制御コマンドデータを決定し、前記比較に基づいて、前記第１の一連のパワー制御コマンドデータビットに対するアップまたはダウンコマンドを発生するように構成されている請求項６２記載の装置。
【請求項６４】  前記制御装置はさらに、前記移動局における前記第２のデータ流の受信品質を第２のしきい値と比較することによって前記第２の一連のパワー制御コマンドデータを決定し、前記比較に基づいて、前記第１の一連のパワー制御コマンドデータビットに対するアップまたはダウンコマンドを発生するように構成されている請求項６２記載の装置。
【請求項６５】  前記制御装置はさらに、前記共通のパワー制御チャンネルの時間フレームにおいて前記共通の一連のパワー制御コマンドデータビットを形成するために、前記第１及び第２の一連のパワー制御コマンドデータビットを多重化するように構成されている請求項６２記載の方法。
【請求項６６】  パワー制御コマンドの第１のストリームを決定し、
パワー制御コマンドの第２のストリームを決定し、
パワー制御コマンドの第１および第２のストリームを多重化し、
複数の異なるデータストリームの送信パワーレベルを制御するために、パワー制御コマンドの多重化されたストリームを第１及び第２の基地局へ送信するステップを含み、
パワー制御コマンドの第１のストリームはパワー制御信号内の第１のビットレートを有し、パワー制御コマンドの第２のストリームはパワー制御信号内の第２のビットレートを有し、パワー制御信号はパワー制御コマンドの多重化されたストリームを伝送する通信システムにおける方法。
【請求項６７】  さらに、移動局において、第１の基地局からの第１のデータ流を受信し、移動局において、第２の基地局からの第２のデータ流を受信するステップを含み、前記第１及び第２のデータ流は前記複数の異なるデータ流に含まれている請求項６６記載の方法。
【請求項６８】  さらに、第１及び第２の基地局でパワー制御コマンドの多重化されたストリームを受信し、
第１及び第２の基地局において、それぞれパワー制御コマンドの第１及び第２の受信されたストリームを形成するために、パワー制御コマンドの受信された多重化されたストリームをデマルチプレクスするステップを含んでいる請求項６７記載の方法。
【請求項６９】  さらに、パワー制御コマンドの第１のストリームにしたがって第１の基地局から送信されるデータの送信パワーレベルを制御し、パワー制御コマンドの第２のストリームにしたがって第２の基地局から送信されるデータの送信パワーレベルを制御するステップを含んでいる請求項６８記載の方法。
【請求項７０】  パワー制御コマンドの第１のストリームにしたがったパワーレベルで第１の基地局から送信されるデータ流の少なくとも一部と、パワー制御コマンドの第２のストリームにしたがったパワーレベルで第２の基地局から送信されるデータ流の少なくとも一部は移動局をターゲットとする同じデータである請求項６９記載の方法。
【請求項７１】  通信システムにおける装置において、
パワー制御コマンドの第１のストリームを決定する手段と、
パワー制御コマンドの第２のストリームを決定する手段と、
パワー制御コマンドの第１および第２のストリームを多重化する手段と、
パワー制御コマンドの多重化されたストリームを第１及び第２の基地局へ送信して複数の異なったデータ流の送信パワーレベルを制御する送信機を具備し、パワー制御コマンドの第１のストリームはパワー制御信号内の第１のビットレートを有し、パワー制御コマンドの第２のストリームはパワー制御信号内の第２のビットレートを有し、パワー制御信号はパワー制御コマンドの多重化されたストリームを伝送する装置。
【請求項７２】  さらに、移動局において、第１の基地局からの第１のデータ流および第２の基地局からの第２のデータ流を受信するステップを含み、前記第１及び第２のデータ流は前記複数の異なるデータ流中に含まれている請求項７１記載の装置。
【請求項７３】  さらに、第１及び第２の基地局においてパワー制御コマンドの多重化されたストリームを受信する手段と、
第１及び第２の基地局において、それぞれパワー制御コマンドの第１及び第２の受信されたストリームを形成するために、パワー制御コマンドの受信された多重化されたストリームをデマルチプレクスする手段と具備している請求項７１記載の装置。
【請求項７４】  さらに、パワー制御コマンドの第１のストリームにしたがって第１の基地局から送信されるデータの送信パワーレベルを制御し、パワー制御コマンドの第２のストリームにしたがって第２の基地局から送信されるデータの送信パワーレベルを制御する制御装置を具備している請求項７３記載の装置。
【請求項７５】  パワー制御コマンドの第１のストリームにしたがったパワーレベルで第１の基地局から送信されるデータ流の少なくとも一部と、パワー制御コマンドの第２のストリームにしたがったパワーレベルで第２の基地局から送信されるデータ流の少なくとも一部とは移動局をターゲットとする同じデータである請求項７４記載の装置。
【請求項７６】  基地局の第１のアクチブセット中の各基地局と基地局の第２のアクチブセット中の各基地局からの第１のデータ通信に基づいて、パワー制御コマンドの第１のストリームを形成し、
パワー制御コマンドの前記第１のストリームに基づいたパワーレベルで、第１のデータ流を基地局の第１及び第２のアクチブセットから移動局へ送信し、
アクチブ基地局の第１及び第２のセット中の各共通しない基地局からの第１のデータ通信に基づいて、パワー制御コマンドの第２のストリームを形成し、
パワー制御コマンドの前記第２のストリームに基づいたパワーレベルで、第１のデータ流をアクチブ基地局の第１及び第２のセット中の各共通しない基地局から移動局へ送信するステップを含んでいる移動無線電話通信システムにおける方法。
【請求項７７】  さらに、パワー制御コマンドの前記第２のストリームに基づいたパワーレベルで、第２のデータ流を共通しない基地局の少なくとも１つの基地局から移動局へ送信するステップを含んでいる請求項７６記載の方法。
【請求項７８】  さらに、パワー制御コマンドの前記第１のストリームに基づいたパワーレベルで、第２のデータ流を基地局の第１及び第２のアクチブセットの少なくとも１つの基地局から移動局へ送信するステップを含んでいる請求項７６記載の方法。